(57)【特許請求の範囲】
【請求項１】
記録担体として使用されるチャートディスク（１８）用のセンタリング兼連動手段（２０）が内部に支承されていて、挿入されたチャートディスク（１８）を記録位置と挿入／取出し位置間を移動させる抽斗トレー（６）並びに、該抽斗トレー（６）を前記記録位置に正確に整合させてロックする手段を備えた形式のタコグラフ（１）において、
抽斗トレー（６）を記録位置に整合させてロックする手段（８８）が、前記抽斗トレー（６）の案内に対して横方向に旋回可能なブリッジ（４９）を有し、該ブリッジ（４９）には、該ブリッジの回転軸線に対して平行な平面内で保定ピン（４５，４６）が固着されており、前記ブリッジ（４９）が、前記保定ピン（４５，４６）を常に前記抽斗トレー（６）の運動空間に係合させるようにタコグラフ内に支承されており、前記抽斗トレー（６）には、前記保定ピン（４５，４６）に対応配設された窪み（４３，４４）が形成されており、かつ前記抽斗トレー（６）の閉鎖移動時に前記保定ピン（４５，４６）を前記窪み（４３，４４）と嵌合させるために前記抽斗トレー（６）が、前記保定ピン（４５，４６）に対応配設された斜向平面（４１，４２）を有していることを特徴とする、抽斗トレーを備えたタコグラフ。
【請求項２】
保定ピン（４５，４６）が円錐形に形成されており、かつ抽斗トレー（６）に設けた窪み（４３，４４）が、前記保定ピン（４５，４６）に対応して円錐形に成形されている、請求項１記載のタコグラフ。
【請求項３】
保定ピン（４５，４６）の端面が球面状に形成されている、請求項２記載のタコグラフ。
【請求項４】
ブリッジ（４９）の回転軸線の位置及び、保定ピン（４５，４６）と該保定ピンに対応配設された窪み（４３，４４）との円錐頂角が、抽斗トレー（６）の引き抜け時に前記のブリッジ（４９）と抽斗トレー（６）との間にセルフロック作用を生ぜしめるように選ばれている、請求項２又は３記載のタコグラフ。
【請求項５】
ブリッジ（４９）が撓みばねジョイントを介してタコグラフのケーシング（１）内に旋回可能に支承されている、請求項１記載のタコグラフ。
【請求項６】
ブリッジ（４９）がＵ字形に形成されており、かつ保定ピン（４５，４６）が、前記ブリッジ（４９）の両脚片（４７，４８）の端部に装着されている、請求項１記載のタコグラフ。
【請求項７】
ブリッジ（４９）が、一方の側に保定ピン（６５，６６）を配置しかつ他方の側では抽斗トレー（６）のロックを解除する手段を係合させる揺動体として構成されている、請求項６記載のタコグラフ。
【請求項８】
ブリッジ（４９）がタコグラフの組付けプレート（６４）に支承されており、かつ前記ブリッジ（４９）の両脚片（４７，４８）が、前記組付けプレート（６４）内に適当に穿設した切欠部（７４，７５）を通って組付けプレート（６４）の一方の側から、組付けプレート（６４）の他方の側へ貫通係合するように屈曲形成されている、請求項７記載のタコグラフ。
【請求項９】
ブリッジ（４９）の各脚片（４７，４８）に、１つの撓みばねジョイント（５８，５９）が配設されており、かつ、抽斗トレー（６）を整合させてロックするために必要な力のために付加的な蓄力器が設けられている、請求項７記載のタコグラフ。
【請求項１０】
付加的な蓄力器として、ブリッジ（４９）の両脚片（４７，４８）とヨーク（５０）との移行域に係合する２つの双脚ばね（７２，７３）が設けられている、請求項９記載のタコグラフ。
【発明の詳細な説明】
技術分野：
本発明は、記録担体として使用されるチャートディスク用のセンタリング兼連動手段を内部に支承していて、挿入されたチャートディスクを記録位置と挿入／取出し位置間を移動させる抽斗トレー並びに、該抽斗トレーを前記記録位置に正確に整合させてロックする手段を備えた形式のタコグラフに関する。
背景技術：
挿入／取出し位置と記録位置間でチャートディスクを搬送するために抽斗トレー又は旋回チェストを備えたタコグラフは、開閉旋回可能な蓋を備えたタコグラフに対比して、より小さな長方形の前面に基づいて、計器盤の計器配置に関して成形自由度がより大であるという利点を提供する。スロットを通して挿入可能なチャートディスクを自動的に引込むタコグラフはそれ自体としては、特に計器もしくは計器盤の所要スペースに関しては最良の解決手段であると云えるが、該タコグラフに対比して、本発明の前記形式の構造は、チャートディスクの気象条件に起因した変動に基づくトラブル発生率が僅少であるという利点並びにチャートディスクの自動的な引込みと放出を断念したことによつて技術経費が大幅に削減されるという利点を提供する。
これに対して抽斗トレーの場合の要件は、抽斗トレーが移動し易いこと、つまり抽斗トレーのガイド機構のために比較的大きなトレランスを設けておかねばならないことである。しかしながらこの要件は、記録中には抽斗トレーが遊び無くかつ常に再現可能に位置決めされていなければならず、かつ抽斗トレーの振動を排除せねばならない、或いは該振動を記録に対して作用させてはならないという要件に矛盾するものである。
発明の開示：
そこで本発明の課題は、チャートディスク用の支持体としての抽斗トレーと該抽斗トレーの駆動手段とを備えたタコグラフにおいて、抽斗トレーを記録位置に正確に整合させてロックする手段を設け、しかも該手段を大量生産に適応するように構成し、かつできるだけ僅かな経費で製造できるようにすることである。
前記課題の解決手段は請求項１に記載した通りであり、また本発明の有利な構成は、請求項２以降に記載した構成手段から明らかである。
本発明の解決手段によって得られる格別顕著な利点として挙げられる点は、揺動体（シーソー）として支承されたＵ字形状に形成されたブリッジが設けられており、該ブリッジが、タコグラフの直方体状ケーシングの両側壁と前壁に関して内法寸法を実質的に満たすように形成されており、従って所要構成スペースが僅かであることである。しかもブリッジは、その両脚片が、殊に有利には回転軸線平面内では遊びのない２つの撓みばねジョイントによって実現されているブリッジの回転軸線に対して直角な方向では剛性に形成され、かつ回転軸線方向では或る程度の弾発能を有するように構成されている。この構成によって、ブリッジの両脚片に装着された保定ピンに対応して、該保定ピンの寸法に等しい窪みを抽斗トレー内に配設でき、つまり過剰寸法決定によって意識的に回転軸線方向の緊締を生ぜしめ、この緊締によって、ブリッジの両脚片を抽斗トレーの位置決めに関与することを保証するための前提条件が得られる。
更に言及に値する点は、保定ピンと、該保定ピンに対応配設された窪みが円錐形に形成されており、こうして得られる楔継手が、抽斗トレーの引き抜きに関連した回転軸線位置との協働と相俟ってセルフロック作用を及ぼすこと、すなわち、閉鎖した抽斗トレーを開放するためには、適当に制御されるロック解除動作を必要とすることである。また特に記録の確実性に関連した利点は、保定ピンが、記録器具先端が運動する平面に交わる平面内に位置するように抽斗トレーに対して配設されていることである。一面ではブリッジの撓みばねジョイントの撓みばねの負荷を抽斗トレーの閉鎖状態では軽減し、他面では比較的高い整合力とロック力を有効に作用させるために、殊に有利には、ブリッジの両脚片に係合する２つの双脚ばねが設けられており、かつ保定ピンに対応して抽斗トレーに配設された斜向平面に基づいて、抽斗トレーの閉鎖時に前記の両双脚ばねは難なく緊張することができる。
以下に説明する実施例ではブリッジの撓みばねジョイントは、タコグラフ内に設けられた組付けプレートに固定されている。しかし又、撓みばねジョイントの固定部及び双脚ばね用の支承部をタコグラフケーシングの両側壁に直接設けることも可能である。
【図面の簡単な説明】
図１はチャートディスク用の支持体としての抽斗トレーを装備したタコグラフの正面図である。
図２は抽斗トレーに配設された放出ばねを図示するために一部破断して示した、図１のタコグラフのケーシング及び抽斗トレーの概略平面図である。
図３は本発明の主要エレメントを成すブリッジの斜視図である。
図４はタコグラフ内に構成ユニットとして挿入可能であって抽斗トレーを整合させてロックするブリッジだけを固着した組付けプレートの平面図である。
図５は抽斗トレーのロック時に協働する構成部品及び構成群の概略図である。
図６は図５の断面線Ｂに沿った拡大断面図並びに抽斗トレーを解放すべくロックを解除するために使用されるカム板の側面図である。
発明を実施するための最良の形態：
次に図面に基づいて本発明の実施例を詳説する。
図１には、実施例として選ばれたタコグラフの直方体状のケーシングが符号１で示されており、該ケーシングの前壁２に、該前壁２に配設されたディスプレイ４用の切欠窓３が形成されている。符号５は、前記ケーシング１内でガイドされる抽斗トレー６の前面側シールドである。前壁２内に支承されたキー７，８，９，１０，１１及び１２の内、キー７及び８並びにメニューキーとして示したキー９は、少なくとも最も重要な労働時間データを選択するために運転手もしくは運転助手に対応配設されている。キー１０及び１１は、その都度選択されるデータ組の前進スクロールと後進スクロールのために使用され、キー１２は抽斗トレー６をロック解除して解放するために設けられている。符号１３で示した封印によって診断スリーブへの不当な侵害が防止されている。なお念のために付記しておくが、図２からも判るように、図示のタコグラフは組込み機器として構成されている。従ってケーシング１の背壁１４には、雌ねじブシュ又は雄ねじシャンクとして構成された指向ピン１５が固着されている。符号１６は、同じく背壁１４に配設されたプラグコネクタソケットである。
更に図２から判るように、抽斗トレー６のケーシング１の（表示符号を省いた）両側壁には、所属のガイドレールが固着されており、図２では両ガイドレールの内１本だけが符号１７で図示されている。符号１８で示した、タコグラフ内に挿入されたチャートディスクは時間目盛１９を有している。但しこの時間目盛図示では、数字及び、記録を解釈するために慣用されている網目は、図面を簡単にするために省かれた。チャートディスク１８は、非円形に形成されたセンタリング兼連動心棒２０に装着されており、該センタリング兼連動心棒は、図示を省いた支承座に一体成形されており、該支承座は、抽斗トレー６内に収容された回転装置によって時刻正しく駆動される。
なお念のために付記しておくが、当該タコグラフは、或る特定の間隔で上下に位置する２枚のチャートディスクの収容部を装備している。図２では、この装備のために両チャートディスク間に旋回可能に配置されたプレート２１が図示されており、該プレートは、抽斗トレー６の両側壁２２，２３に支持されており、かつ上位のチャートディスク１８が記録ベースとして使用される。取出し時にチャートディスクをより良く掴めるようにするために穿設部２７が設けられている。抽斗トレー６に一体に成形された付設部２４，２５には、ガイドスロット２８，２９が形成されている。すなわち前記付設部２４，２５は、抽斗トレー６が閉じた場合に、該抽斗トレーの前部域の位置を固定するために使用される。抽斗トレー６が閉鎖すると、ケーシング１内に支承されていて双脚ばねとして形成された放出ばね３０が、抽斗トレー６に作用する。この場合、該放出ばね３０の一方の脚片３１が、抽斗トレー６の背面側に形成された溝３２内へ係合する。ケーシング１の底部３５に固着されたストッパピン３６に対応して抽斗側に配設された切欠部が符号３３で、また放出ばね３０の支承ピン３７に対応して抽斗側に配設された切欠部が符号３４で図示されている。ウェスト状に形成された抽斗トレー６に成形された案内顎３８，３９は、それぞれ適当なスリット４０を有し、該スリットは図５ではその１つが示されている。前記案内顎３８，３９には斜向平面４１，４２が形成されており、かつ該斜向平面には円錐形窪み４３，４４が配設されている。
抽斗トレー６が閉鎖した場合に、やはり円錐形に形成された保定ピン４５，４６が前記円錐形窪み４３，４４内に係合し、前記保定ピンは、Ｕ字形に形成されたブリッジ４９の両脚片４７，４８の端部に固着されている。図３におけるブリッジ４９の斜視図から判るように、ブリッジ４９の両脚片４７，４８並びにヨーク５０は、屈曲条片部５１，５２，５３によって補強されており、かつ比較的大きな長さにわたって係合するコーナー継手５４，５５によって互いに結合されている。このようにしてブリッジ４９は、高い曲げ剛さと最小限の所要スペースをもった１つの構成部分を形成している。両脚片４７，４８の端部に沿って屈曲された支持桁部５６，５７に前記保定ピン４５，４６が固着されているが、前記の両脚片４７，４８の端部だけが、揺動体（シーソー）として形成されたブリッジ４９の回転軸線の方向で或る程度の弾発能を有しているにすぎない。本実施例では前記回転軸線は、２つの撓みばねジョイント５８，５９によって実現され、両撓みばねジョイントの板ばね６０，６１は例えば、図示を省いたねじによって、一方ではブリッジ４９に一体成形されたブラケット６２，６３に、また他方では組付けプレート６４に固定されている。ブリッジ４９のヨーク５０には舌片部６５が一体成形されており、該舌片は、追って詳細に説明するが、抽斗トレー６のロックを解除するためにカムディスク６６と協働する。ヨーク５０のスロット状開口６７は、カムディスク６６を支持する軸（図４〜図６参照）を通すために使用される。図示符号は省いたがコーナー継手５４，５５内に穿設されている別の開口は、組付けプレート６４上に配置された構成エレメント（但し本発明にとって重要ではない）を通すために同様に使用される。ブリッジ４９の両脚片４７，４８に形成された切込み６８，６９は、蓄力器として使用されかつ組付けプレート６４上に支承された双脚ばね７２，７３の一方の脚片７０，７１を掛け込むために設けられている。
図４の平面図から判るように、ブリッジ４９の撓みばねジョイント５８，５９の板ばね６０，６１は組付けプレート６４上に固定されており、かつブリッジ４９の両脚片４７，４８は、組付けプレート６４の一方の側から、適当な切欠部７４，７５を通って組付けプレートの反対の側へ貫通係合している。双脚ばね７２，７３には、支承ピン７６，７７が配設されており、該支承ピンは、アウトサート技術（Outserttechnik）によって組付けプレート６４に一体成形されている。また図４には同じく組付けプレート６４に一体成形されたストッパ７８，７９が図示されているが、該ストッパは、抽斗トレーの開放時にブリッジ４９の旋回角度を制限して撓みばねジョイント５８，５９の負荷を軽減する役目を有している。その場合、ストッパ７８，７９はブリッジ４９のコーナー継手５４，５５と協働する。ここで序でに述べておくが、組付けプレート６４には、タコグラフの種々の構成エレメント及び機能群、特に記録用機能群のための多数の保持兼固定エレメント並びに軸受がアウトサート技術によって一体成形されている。これらのエレメントは本発明には直接関係が無いので、図面を見易くするためにその図示を省いた。この図示の省略は、すでに述べた軸８０を駆動するモータ及び、所要トルクを得るために該モータに後置された高減速伝動装置についても該当する。ただ、前記軸８０に固着された歯車８１へ向かう伝動力の流れを矢印Ｐで図示するに留めた。軸８０は、すでに述べたカムディスク６６と制御カム８２とを保持しており、かつ該軸の一端は、組付けプレート６４に一体成形された軸受台８３で軸支され、また軸の他端は軸受ブシュ８４によって軸支されている。軸受ブシュ８４は、組付けプレート６４に一体に屈曲成形された端壁８５に固着されている。なお念のために付記しておくが、予め実装された組付けプレート６４は、機能の点から見て製作済みの構成群として、タコグラフ内に装嵌可能であり、この装嵌の際、タコグラフの側壁に装着された条片が受け座として使用される。しかも受け座に載る組付けプレート６４の縁部域は、図４に示したように、適当な打抜き部、例えば打抜き部８６又は８７によって、複数部位で一義的に支承されるように形成されている。
図５の概略図では主として、抽斗トレー６と組付けプレート６４との相互関係、もしくは組付けプレート６４上に配置されていて抽斗トレー６を整合させてロックする手段、つまりグリッパ装置８８の配置関係が図示されている。その場合、主として側面図で示した抽斗トレー６には、放出手段を示すために破断部が設けられており、かつケーシング１の対応部が抽斗トレー６に対応して配置されている。組付けプレート６４及び、該組付けプレート上に取付けられたグリッパ装置８８は図５では、図４のＡ−Ａ断面線に沿った断面として図示されている。タコグラフの主要電子素子を保持するプリント配線板が符号８９で示されている。該プリント配線板８９に配置されたスイッチ９０は、追って詳説する制御カム８２と協働する。
図５では、抽斗トレー６の閉鎖状態における構成群が運動矢印によって示されている。すなわち放出ばね３０の脚片３１は溝３２内に係合し、放出ばね３０は緊張される。これと同時に保定ピン４５，４６が抽斗トレー６の案内顎３８，３９の斜向平面４１，４２に沿って上向摺動し、それに伴ってブリッジ４９は双脚ばね７２，７３の作用力に抗して旋回させられる。保定ピン４５，４６が円錐形窪み４３，４４に到達すると、ブリッジ４９は戻り旋回し、つまり抽斗トレー６は双脚ばね７２，７３の作用力によって確保され、かつ既に述べたように、協働し合う構成部分のセルフロックによってロックされる。
抽斗トレー６を開放しようとする場合、キー１２を作動することによって先ず、軸８０を駆動する回転装置の作動制御が必要である。軸８０の回転によって、ひいては該軸に固着されていてそれ自体は舌片部６５に係合しているカムディスク６６の回転によってブリッジ４９は、保定ピン４５，４６を円錐形窪み４３，４４から持ち上げる方向に旋回させられ、これによって抽斗トレー６のロックが解除され、該抽斗トレーは、その時に作用を発揮する放出ばね３０によってグリップ位置へ衝突させられる。軸８０が１回転して再び起点位置に達した時点、つまり、該軸８０に固着された制御カム８２がスイッチ９を作動させた時点に、ロック解除動作は終了する。この時点位置が図６の拡大部分図においても図示されている。
【図１】
0004028895.tif 000002
【図２】
0004028895.tif 000003
【図３】
0004028895.tif 000004
【図４】
0004028895.tif 000005
【図５】
0004028895.tif 000006
【図６】
0004028895.tif 000007